(57)【要約】【課題】  ケーブルを硬いコアから保護できるノイズ吸収装置の提供。【解決手段】  ケース２と、ケース２に内蔵されケーブルを挿通可能な貫通孔を有するコア３と、を備えたノイズ吸収装置１を提供する。ノイズ吸収装置１のケース２は、コア３の一部を覆う第一ケース部と、コア２の他部を覆う第二ケース部と、貫通孔内に配置されてケーブルのコア２への当接を抑制する第一保護カバー部と第二保護カバー部と、を有している。またコア２は貫通孔の軸方向と略平行な断面で二分割され、軸方向に延びる第一当接面５１及び第二当接面５２が設けられた第一コア部５０と、第一当接面５１に当接する第三当接面６１及び第二当接面５２に当接する第四当接面６２が設けられた第二コア部６０とから構成されている。【選択図】図１
2007266214.tif 000002
【特許請求の範囲】
【請求項１】
ケースと、
該ケースに内蔵されケーブルを挿通可能な貫通孔を有するコアと、を備え、
該ケースは該コアの一部を覆う第一ケース部と、該コアの他部を覆う第二ケース部と、該貫通孔内に配置されて該ケーブルの該コアへの当接を抑制する保護カバーと、を有し、
該コアは、該貫通孔の軸方向と略平行な断面で二分割され、該軸方向に延びる第一当接面及び第二当接面が設けられた第一コア部と、該第一当接面に当接する第三当接面及び該第二当接面に当接する第四当接面が設けられた第二コア部とから構成されていることを特徴とするノイズ吸収装置。
【請求項２】
該ケースが該軸方向と略平行な断面で二分割されて該第一ケース部と該第二ケース部とが提供され、該第一ケース部に該第一コア部が収容されると共に該第二ケース部に該第二コア部が収容され、
該保護カバーは、該第一ケース部と一体に構成される第一保護カバー部と、該第二ケース部と一体に構成される第二保護カバー部とから構成されていることを特徴とする請求項１に記載のノイズ吸収装置。
【請求項３】
該第一ケース部は、該第一コア部の該軸方向の一端側を収容する第一分割ケース部と、該第一コア部の該軸方向の他端側を収容する第二分割ケース部とから構成され、
該第二ケース部は、該第二コア部の該軸方向の一端側を収容する第三分割ケース部と、該第二コア部の該軸方向の他端側を収容する第四分割ケース部とから構成されていることを特徴とする請求項２に記載のノイズ吸収装置。
【請求項４】
該第一保護カバー部は、該第一分割ケース部と一体の第一分割保護カバー部と、該第二分割ケース部と一体の第二分割保護カバー部とから構成され、
該第二保護カバー部は該第三分割ケース部と一体の第三分割保護カバー部と、該第四分割ケース部と一体の第四分割保護カバー部とから構成されていることを特徴とする請求項３に記載のノイズ吸収装置。
【請求項５】
該第一分割ケース部と該第三分割ケース部との間には、該第一分割ケース部と該第三分割ケース部とを連結する第一ヒンジ部が設けられ、
該第二分割ケース部と該第四分割ケース部との間には、該第二分割ケース部と該第四分割ケース部とを連結する第二ヒンジ部が設けられ、
該第一分割ケース部において、該貫通孔の軸心に関し該第一ヒンジ部と反対側の位置には第一フック部が設けられ、
該第三分割ケース部において、該貫通孔の軸心に関し該第一ヒンジ部と反対側の位置には該第一フック部と係合可能な第一フック受部が設けられ、
該第四分割ケース部において、該貫通孔の軸心に関し該第二ヒンジ部と反対側の位置には第二フック部が設けられ、
該第二分割ケース部において、該貫通孔の軸心に関し該第二ヒンジ部と反対側の位置には該第二フック部と係合可能な第二フック受部が設けられ、
該第一分割ケース部と該第四分割ケース部とは略同形状に構成されると共に、該第二分割ケース部と該第三分割ケース部とは略同形状に構成されていることを特徴とする請求項４に記載のノイズ吸収装置。
【請求項６】
該第一分割ケース部と該第三分割ケース部とが該第一ヒンジ部を支点とし該第一フック部が該第一フック受部に係合して閉じられると共に該第二分割ケース部と該第四分割ケース部とが該第二ヒンジ部を支点とし該第二フック部が該第二フック受部に係合して閉じられて該ケース内に該コアを収容した状態で、該第一分割ケース部の該第三分割ケース部と対向する位置には、該コアを該第三分割ケース部側へ付勢可能な第一押さえ片が設けられると共に該第二分割ケース部の該第四分割ケース部と対向する位置には、該コアを該第四分割ケース部側へ付勢可能な第二押さえ片が設けられ、
該第三分割ケース部の該第一分割ケース部と対向する位置には、該コアを該第一分割ケース部側へ付勢可能な第三押さえ片が設けられ、該第四分割ケース部の該第二押さえ片と対向する位置には、該コアを該第二分割ケース部側へ付勢可能な第四押さえ片が設けられていることを特徴とする請求項５に記載のノイズ吸収装置。
【請求項７】
該第一コア部の該軸方向の一端側位置と他端側位置とにはそれぞれ第一被掛止部と第二被掛止部とが規定され、該第二コア部の該軸方向の一端側位置と他端側位置とにはそれぞれ第三被掛止部と第四被掛止部とが規定され、
該第一分割ケース部の該第一被掛止部と対向する位置には、該第一被掛止部に掛止する第一掛止部が設けられ、
該第二分割ケース部の該第二被掛止部と対向する位置には、該第二被掛止部に掛止する第二掛止部が設けられ、
該第三分割ケース部の該第三被掛止部と対向する位置には、該第三被掛止部に掛止する第三掛止部が設けられ、
該第四分割ケース部の該第四被掛止部と対向する位置には、該第四被掛止部に掛止する第四掛止部が設けられていることを特徴とする請求項３から請求項６のいずれか一に記載のノイズ吸収装置。
【請求項８】
該第一コア部は、該軸方向と直交する断面において、先端位置に該第一当接面が規定される第一伸長部と、先端位置に該第二当接面が規定され該第一伸長部と略平行に延びる第二伸長部と、該第一伸長部と該第二伸長部とのそれぞれの基端を結ぶ第一連結部とから構成され、
該第二コア部は、該軸方向と直交する断面において、一端側に該第三当接面が規定されると共に他端側に該第四当接面が規定される第二連結部から構成されていることを特徴とする請求項１から４のいずれか一に記載のノイズ吸収装置。
【請求項９】
該コアは、Ｍｎ−Ｚｎ系フェライトを基材として構成されていることを特徴とする請求項１から請求項８のいずれか一に記載のノイズ吸収装置。
【発明の詳細な説明】
【技術分野】
【０００１】
本発明はノイズ吸収装置に関し、特に電源ケーブルに装着されるノイズ吸収装置に関する。
【背景技術】
【０００２】
従来、電子機器の電源ケーブルにおいて、電源より発生されるノイズを除去するために、フェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないように樹脂等のケースでフェライトコアを電源ケーブルに位置決めして保持している（例えば、特許文献１参照）。
【特許文献１】特開２００５−１５０５６１号公報
【発明の開示】
【発明が解決しようとする課題】
【０００３】
従来のノイズ吸収装置では、上述の様に、ケースを用いてコアにより直接電源ケーブルを保持する構造を採っている。コアはフェライト等が焼結されて製造されるため、電源ケーブルの被覆として一般的に用いられる樹脂被覆より硬度が高く、故に、例えばコアの角部が電源ケーブルと当接することにより、電源ケーブルが傷付けられて破損するおそれがあった。
【０００４】
またコアは、その要求される性能によっては導電性を供える場合があり、この場合に電源ケーブルが傷付けられると、ショートするおそれもあった。よって本発明は、ケーブルを硬いコアから保護できるノイズ吸収装置を提供することを目的とする。
【課題を解決するための手段】
【０００５】
上記課題を解決するために、本発明は、ケースと、ケースに内蔵されケーブルを挿通可能な貫通孔を有するコアと、を備えたノイズ吸収装置を提供する。このノイズ吸収装置のケースは、コアの一部を覆う第一ケース部と、コアの他部を覆う第二ケース部と、貫通孔内に配置されてケーブルのコアへの当接を抑制する保護カバーと、を有している。またコアは貫通孔の軸方向と略平行な断面で二分割され、軸方向に延びる第一当接面及び第二当接面が設けられた第一コア部と、第一当接面に当接する第三当接面及び第二当接面に当接する第四当接面が設けられた第二コア部とから構成されている。
【０００６】
このような構成によると、ケースによりコアを保護すると共に、保護カバーをコアとケーブルとの間に介在させることができる。よって保護カバーによりコアとケーブルとの当接が防がれる。
【０００７】
上記構成のノイズ吸収装置において、ケースが軸方向と略平行な断面で二分割されて第一ケース部と第二ケース部とが提供され、第一ケース部に第一コア部が収容されると共に第二ケース部に第二コア部が収容され、保護カバーは、第一ケース部と一体に構成される第一保護カバー部と、第二ケース部と一体に構成される第二保護カバー部とから構成されていることが好ましい。
【０００８】
このような構成によると、第一ケース部及び第一保護カバー部と、第二ケース部及び第二保護カバー部と、第一コア部と、第二コア部と、の四部品からノイズ吸収装置を構成することができ、構成部品点数を少なくすることができる。よってノイズ吸収装置の組立が容易となる。
【０００９】
また第一ケース部は、第一コア部の軸方向の一端側を収容する第一分割ケース部と、第一コア部の軸方向の他端側を収容する第二分割ケース部とから構成され、第二ケース部は、第二コア部の軸方向の一端側を収容する第三分割ケース部と、第二コア部の軸方向の他端側を収容する第四分割ケース部とから構成されていることが好ましい。
【００１０】
また第一保護カバー部は、第一分割ケース部と一体の第一分割保護カバー部と、第二分割ケース部と一体の第二分割保護カバー部とから構成され、第二保護カバー部は第三分割ケース部と一体の第三分割保護カバー部と、第四分割ケース部と一体の第四分割保護カバー部とから構成されていることが好ましい。
【００１１】
このような構成によると、例えば、第一コア部を第一ケース部と第一保護カバー部との間に配置する際に、第一分割ケース部と、第二分割ケース部との分割場所から第一ケース部と第一保護カバー部との間に第一コア部を配置することができる。よって第一コア部の第一ケース部内への配置が容易となる。
【００１２】
また第一分割ケース部と第三分割ケース部との間には第一分割ケース部と第三分割ケース部とを連結する第一ヒンジ部が設けられ、第二分割ケース部と第四分割ケース部との間には第二分割ケース部と第四分割ケース部とを連結する第二ヒンジ部が設けられ、第一分割ケース部において貫通孔の軸心に関し第一ヒンジ部と反対側の位置には第一フック部が設けられ、第三分割ケース部において貫通孔の軸心に関し第一ヒンジ部と反対側の位置には第一フック部と係合可能な第一フック受部が設けられ、第四分割ケース部において貫通孔の軸心に関し第二ヒンジ部と反対側の位置には第二フック部が設けられ、第二分割ケース部において貫通孔の軸心に関し第二ヒンジ部と反対側の位置には第二フック部と係合可能な第二フック受部が設けられ、第一分割ケース部と第四分割ケース部とは略同形状に構成されると共に第二分割ケース部と第三分割ケース部とは略同形状に構成されていることが好ましい。
【００１３】
このような構成によると、第一分割ケース部及び第三分割ケース部を含むケースの一部と、第二分割ケース部及び第四分割ケース部を含むケースの他部とを、同一形状とすることができる。よって、一の金型でケースを構成する部品の全てを作成することが可能となる。
【００１４】
また第一分割ケース部と第三分割ケース部とが第一ヒンジ部を支点とし第一フック部が第一フック受部に係合して閉じられると共に第二分割ケース部と第四分割ケース部とが第二ヒンジ部を支点とし第二フック部が第二フック受部に係合して閉じられてケース内にコアを収容する。この状態で、第一分割ケース部の第三分割ケース部と対向する位置には、コアを第三分割ケース部側へ付勢可能な第一押さえ片が設けられると共に第二分割ケース部の第四分割ケース部と対向する位置には、コアを第四分割ケース部側へ付勢可能な第二押さえ片が設けられ、第三分割ケース部の第一分割ケース部と対向する位置には、コアを第一分割ケース部側へ付勢可能な第三押さえ片が設けられ、第四分割ケース部の第二押さえ片と対向する位置には、コアを第二分割ケース部側へ付勢可能な第四押さえ片が設けられていることが好ましい。
【００１５】
このような構成によると、ケースによりコアを閉じた状態で、第一コア部と第二コア部とが、互いに付勢し合うことになる。よって第一コア部と第二コア部とがそれぞれの当接面で確実に当接することができ、好適に閉磁路を構成することができる。
【００１６】
また第一コア部の軸方向の一端側位置と他端側位置とにはそれぞれ第一被掛止部と第二被掛止部とが規定され、第二コア部の軸方向の一端側位置と他端側位置とにはそれぞれ第三被掛止部と第四被掛止部とが規定され、第一分割ケース部の第一被掛止部と対向する位置には、第一被掛止部に掛止する第一掛止部が設けられ、第二分割ケース部の第二被掛止部と対向する位置には、第二被掛止部に掛止する第二掛止部が設けられ、第三分割ケース部の第三被掛止部と対向する位置には、第三被掛止部に掛止する第三掛止部が設けられ、第四分割ケース部の第四被掛止部と対向する位置には、第四被掛止部に掛止する第四掛止部が設けられていることが好ましい。
【００１７】
このような構成によると、ケース内にコアが配置された場合に、各掛止部が各被掛止部に掛止することができる。これにより、ケースに対するコアのずれを抑制することができる。
【００１８】
また第一コア部は、軸方向と直交する断面において、先端位置に第一当接面が規定される第一伸長部と、先端位置に第二当接面が規定され第一伸長部と略平行に延びる第二伸長部と、第一伸長部と第二伸長部とのそれぞれの基端を結ぶ第一連結部とから構成され、第二コア部は、軸方向と直交する断面において、一端側に第三当接面が規定されると共に他端側に第四当接面が規定される第二連結部から構成されていてもよい。
【００１９】
このような構成によると、第一伸長部と第二伸長部とをケーブルの巻回箇所とすることができる。第一伸長部と第二伸長部とは何れも直線部分であるので容易にケーブルを巻回することができる。
【００２０】
またコアは、Ｍｎ−Ｚｎ系フェライトを基材として構成されていることが好ましい。このような構成によると、特に低周波領域のノイズを効果的に除去することができる。
【発明の効果】
【００２１】
本発明によれば、ケーブルを硬いコアから保護できる。
【発明を実施するための最良の形態】
【００２２】
以下、本発明の第一の実施の形態に係るノイズ吸収装置について、図１から図４に基づき説明する。図１に示されるように、ノイズ吸収装置１は、ケース２と、コア３とから構成されている。
【００２３】
ケース２は、第一分割ケース部１０と、第二分割ケース部２０と、第三分割ケース部３０と、第四分割ケース部４０とから主に構成されている。第一分割ケース部１０は、第一外周部１１と、第一分割保護カバー部１２と、第一側面部１３とから主に構成さている。
【００２４】
第二分割ケース部２０、第三分割ケース部３０、第四分割ケース部４０についても、第一分割ケース部１０と同様に、第二外周部２１、第三外周部３１、第四外周部４１と、第二分割保護カバー部２２、第三分割保護カバー部３２、第四分割保護カバー部４２と、第二側面部２３、第三側面部３３、第四側面部４３と、からそれぞれ構成されている、また、第一分割ケース部１０〜第四分割ケース部４０は略同形に構成されていると共に、第一分割ケース部１０と第四分割ケース部４０、及び第二分割ケース部２０と第三分割ケース部３０とは、それぞれ同一形状に構成されている。以下、第一分割ケース部１０の構成を代表として説明し、特に明言しない限りは第二分割ケース部２０、第三分割ケース部３０、第四分割ケース部４０の構成の説明については省略する。
【００２５】
第一外周部１１は、円筒を軸方向に平行な断面で二分割した半割り形状に構成されている。第一分割保護カバー部１２は、第一外周部１１に係る円筒と軸方向長さが等しく、その径が小径の円筒を軸方向に平行な断面で二分割した半割り形状に構成されている。第一側面部１３は、第一外周部１１と第一分割保護カバー部１２とを、それぞれの軸心が同軸かつ軸方向において端部位置が同位置になるよう配置した状態で、第一外周部１１の一端部と第一分割保護カバー部１２の一端部とを連結すると共に第一外周部１１及び第一分割保護カバー部１２の軸方向と略直交する平面状に構成されている。よって第一外周部１１と第一分割保護カバー部１２と第一側面部１３とは略一体に構成されている。
【００２６】
また第一外周部１１と第一分割保護カバー部１２と第一側面部１３とで囲まれる部分に、後述の第一コア部５０の一端を収容する第一収容部１０ａが形成されている。同様に第二分割ケース部２０、第三分割ケース部３０、第四分割ケース部４０にも第二収容部２０ａ、第三収容部３０ａ、第四収容部４０ａが形成されている。
【００２７】
第一外周部１１の周方向の一端部には、第一ヒンジ部２Ｃが接続されており、第一ヒンジ部２Ｃに関して、第一分割ケース部１０の反対側には第三分割ケース部３０が第一分割ケース部１０と平行な軸上に配置され、第一外周部１１と第三外周部３１とが第一ヒンジ部２Ｃを介して接続されている。同様に第二分割ケース部２０と第四分割ケース部４０とが第二ヒンジ部２Ｄを介して接続されている。
【００２８】
第一分割ケース部１０の軸心に関し第一ヒンジ部２Ｃと反対側の位置となる第一外周部１１の周方向他端側には、周方向に延出された第一フック部１４が設けられており、第一フック部１４には、第一外周部１１の直径方向に貫通する孔１４ａが形成されている。
【００２９】
第三分割ケース部３０の軸心に関し第一ヒンジ部２Ｃと反対側の位置となる第三外周部３１の周方向端側には、第一フック受部３４が設けられている。よって第一分割ケース部１０を第一ヒンジ部２Ｃを支点として第三分割ケース部３０側に回動させることにより、第一フック部１４の孔１４ａ内に第一フック受部３４を挿入して掛止することができる。
【００３０】
第四分割ケース部４０においても、第一分割ケース部１０と同様に第四外周部４１に孔４４ａが形成された第二フック部４４が設けられ、第二分割ケース部２０においても、第三分割ケース部３０と同様に、第二外周部２１に第二フック受部２４が設けられて、第二フック部４４と掛止可能となっている。
【００３１】
図２及び図３に示されるように、第一外周部１１の周方向略中央部分には、第一押さえ片１１Ａが設けられており、第一押さえ片１１Ａは第一外周部１１を構成する壁の一部が切り抜かれて第一外周部１１の直径方向軸心側に向かって折り曲げられて構成されている。よって第一分割ケース部１０を第一ヒンジ部２Ｃを支点として第三分割ケース部３０側に回動させた状態では、第一押さえ片１１Ａは、第三分割ケース部３０と対向する位置に配置される。
【００３２】
第一分割ケース部１０を第一ヒンジ部２Ｃを支点として第三分割ケース部３０側に回動させた状態で、第三外周部３１の第一押さえ片１１Ａの対向する箇所となる部分には、第三押さえ片３１Ａが設けられている。よって第一押さえ片１１Ａと第三押さえ片３１Ａとは、互いに対向する方向に付勢力を発揮することが可能となっている。
【００３３】
第四外周部４１にも、第一外周部１１と同様の第四押さえ片４１Ａが設けられており、第二外周部２１にも、第三外周部３１と同様の第二押さえ片２１Ａが設けられて、互い対向する方向に付勢することが可能となっている。また図２に示されるように、第一分割ケース部１０と第二分割ケース部２０とから、第一ケース部２Ａが構成され、第三分割ケース部３０と第四分割ケース部４０とから、第二ケース部２Ｂが構成されている。
【００３４】
図３に示されるように、第一側面部１３の、第一分割保護カバー部１２の周方向略中央位置近傍には第一側面部１３表面から第一収容部１０ａ内に突出する第一掛止部１３Ａが設けられている。同様に第二側面部２３、第三側面部３３、第四側面部４３にもそれぞれ第二掛止部２３Ａ、第三掛止部３３Ａ、第四掛止部４３Ａが設けられている。また第一外周部１１の反第一側面部１３側端面には、周方向に並んで四個の凸部１１Ｂが設けられており、第三外周部３１の凸部１１Ｂに対応する位置には、四箇所の凹部３１ｂが形成されている。同様に第四外周部４１にも凸部４１Ｂが設けられており、第二外周部２１にも凹部２１ｂが形成されている。
【００３５】
上述したように、第一分割ケース部１０と第四分割ケース部４０、及び第二分割ケース部２０と第三分割ケース部３０とは、それぞれ同一形状に構成されており、第一分割ケース部１０と第三分割ケース部３０は第一ヒンジ部２Ｃで連結され、第二分割ケース部２０と第四分割ケース部４０も第二ヒンジ部２Ｄで連結されている。よって第一分割ケース部１０及び第三分割ケース部３０を含むケース２の一部と、第二分割ケース部２０及び第四分割ケース部４０を含むケース２の他部とを、同一の金型で作成することが可能となり、これにより作業の効率化を図ることができる。
【００３６】
コア３は、特に低周波領域のノイズを効果的に除去すべく、Ｍｎ−Ｚｎ系フェライトを基材として構成されており、図１に示されるように、円筒が軸方向と平行な断面で二分割された同一形状の第一コア部５０と第二コア部６０とから構成されている。またコア３は、その軸方向長さがケース２の軸方向長さと略等しく、第一収容部１０ａ〜第四収容部４０ａにその一部を収容可能に構成されている。また第一コア部５０と第二コア部６０とには、それぞれ切断面であり軸方向に延びる第一当接面５１及び第二当接面５２と、第三当接面６１及び第四当接面６２とを有している。
【００３７】
第一コア部５０の軸方向の一端面には、第一コア部５０周方向の略中間部分であって内周面と交わる部分に凹状の第一被掛止部５０ａが形成されており、他端面であって第一被掛止部５０ａの反対側位置に第二被掛止部５０ｂが形成されている。第二コア部６０の軸方向一端面と他端面とにも同様に第三被掛止部６０ａと第四被掛止部６０ｂが形成されている。
【００３８】
ケース２にコア３を装着するには、例えば第一ケース部２Ａ（図２）において、第一分割ケース部１０と第二分割ケース部２０との分割箇所から、第一コア部５０の一端面側と他端面側とを、第一収容部１０ａ内及び第二収容部２０ａ内に挿入する。第一分割ケース部１０において、第一ケース部２Ａの分割箇所となる位置から第一収容部１０ａ内に第一コア部５０の一端面側を挿入する場合は、第一分割保護カバー部１２と第一外周部１１との間に軸方向に沿って直線的に第一コア部５０を挿入することができる。第二分割ケース部２０においても同様に第一コア部５０の他端面側を第二収容部２０ａ内に挿入することができるため、第一コア部５０の第一ケース部２Ａ内への配置が容易となる。第二コア部６０及び第二ケース部２Ｂも第一コア部５０及び第一ケース部２Ａと同様の構成であるため、第二コア部６０の第二ケース部２Ｂ内への配置も容易となる。
【００３９】
また第一分割ケース部１０の第一収容部１０ａ内に挿入された第一コア部５０の一端面側には、凹状の第一被掛止部５０ａが形成されているため、この第一被掛止部５０ａが第一収容部１０ａ内に突出している凸状の第一掛止部１３Ａと係合する。第一コア部５０の他端面側に形成された第二被掛止部５０ｂも同様に第二分割ケース部２０の第二掛止部２３Ａと係合するため、第一ケース部２Ａに対する第一コア部５０のずれを抑制することができる。第二ケース部２Ｂにおいても同様に第三被掛止部６０ａと第三掛止部３３Ａとの係合及び第四被掛止部６０ｂと第四掛止部４３Ａとの係合により、第二ケース部２Ｂに対する第二コア部６０のずれを抑制することができる。
【００４０】
第一ケース部２Ａにおいて、第一分割ケース部１０と第二分割ケース部２０とに第一コア部５０が挿入された状態で、第一分割ケース部１０の複数の凸部１１Ｂを第二分割ケース部２０の複数の凹部２１ｂ内に挿入し、同様に第四分割ケース部４０の複数の凸部４１Ｂを第三分割ケース部３０の複数の凹部３１ｂ内に挿入し、図４に示されるノイズ吸収装置１が組み立てられる。またこの状態で第一分割保護カバー部１２と第二分割保護カバー部２２とから第一保護カバー部２Ｅが構成され、第三分割保護カバー部３２と第四分割保護カバー部４２とから第二保護カバー部２Ｆが構成される。また第一保護カバー部２Ｅと第二保護カバー部２Ｆとが対向することにより、内部に後述の電源ケーブル７を挿通可能な貫通孔が形成される。
【００４１】
図４に示されるように、ノイズ吸収装置１を電源ケーブル７に装着するには、電源ケーブル７を第二保護カバー部２Ｆ内に配置する。そして第一ケース部２Ａを第一ヒンジ部２Ｃ及び第二ヒンジ部２Ｄを支点として第二ケース部２Ｂ側に回動させ、第一フック部１４を第一フック受部３４に掛止すると共に、第二フック部４４を第二フック受部２４に掛止し、第一ケース部２Ａと第二ケース部２Ｂを閉じた状態にする。この状態にすることにより、ケース２でコア３を保護すると共に、第一保護カバー部２Ｅと第二保護カバー部２Ｆとから保護カバーが構成されて保護カバーをコア３と電源ケーブル７との間に介在させることができる。よって第一保護カバー部２Ｅと第二保護カバー部２Ｆとによりコア３と電源ケーブル７とが当接することが防がれ、コア３による電源ケーブル７の破損等が抑制される。
【００４２】
また第一ケース部２Ａと第二ケース部２Ｂを閉じた状態で第一コア部５０と第二コア部６０とは、第一当接面５１と第三当接面６１及び第二当接面５２と第四当接面６２がそれぞれ当接し、かつ第一押さえ片１１Ａ及び第二押さえ片２１Ａと、第三押さえ片３１Ａ及び第四押さえ片４１Ａとによりそれぞれ相対する方向へ付勢される。よって第一コア部５０と第二コア部６０とがそれぞれの当接面で確実に当接することができ、コア３として好適に閉磁路を構成することができる。
【００４３】
次に本発明の第二の実施の形態に係るノイズ吸収装置について、図５及び図６に基づいて説明する。第二の実施の形態に係るノイズ吸収装置１０１は、基本的な構成が第一の実施の形態に係るノイズ吸収装置１と同じであるため、同一構成を採る部分については第一の実施の形態に係るノイズ吸収装置の符号に１００を追加してその説明を省略する。
【００４４】
ノイズ吸収装置１０１は、図５に示されるように、ケース１０２と、コア１０３とから主に構成されている。
【００４５】
コア１０３は、第一コア部１５０と第二コア部１６０とから構成されている。図６に示されるように、第一コア部１５０は、ケーブル挿通方向と直交する断面において、先端位置に第一当接面１５１が規定される第一伸長部１５０Ｂと、先端位置に第二当接面１５２が規定され第一伸長部１５０Ｂと略平行に延びる第二伸長部１５０Ｃと、第一伸長部１５０Ｂと第二伸長部１５０Ｃとのそれぞれの基端を結び、半円弧状をなす第一連結部１５０Ａとから略Ｕ字状に構成されている。
【００４６】
第二コア部１６０は、ケーブル挿通方向と直交する断面において、略Ｉ字状の第二連結部１６０Ａから構成され、第二連結部１６０Ａの一端側には、第一当接面１５１と当接可能な第三当接面１６１が設けられ、他端側には第二当接面１５２と当接可能な第四当接面１６２が設けられている。
【００４７】
図５に示されるように、ケース１０２は、ケーブル挿通方向と直交する断面が、略Ｕ字状の第一分割ケース部１１０と第二分割ケース部１２０、及び略Ｉ字状の第三分割ケース部１３０と第四分割ケース部１４０とから構成されている。
【００４８】
第一分割ケース部１１０においては、その第一外周部１１１において、第一連結部１５０Ａを保護可能な半割りされた円筒状の外周底部１１１Ａと、外周底部１１１Ａの両端部から延出され、第一伸長部１５０Ｂと第二伸長部１５０Ｃとをそれぞれ保護可能な略平面状の第一外周平面部１１１Ｂと第二外周平面部１１１Ｃとから構成されている。また第一分割保護カバー部１１２においても、同様に保護カバー底部１１２Ａと第一保護カバー平面部１１２Ｂと第二保護カバー平面部１１２Ｃとから構成されている。
【００４９】
第二分割ケース部１２０においても、その第二外周部１２１は外周底部１２１Ａと第一外周平面部１２１Ｂと第二外周平面部１２１Ｃとから構成されており、第二分割保護カバー部１２２は、保護カバー底部１２２Ａと第一保護カバー平面部１２２Ｂと第二保護カバー平面部１２２Ｃとから構成されている。
【００５０】
第一外周部１１１の二外周平面部１１１Ｃの端部と、第二外周部１２１の第二外周平面部１２１Ｃの端部にはそれぞれ第一ヒンジ部１０２Ｃと第二ヒンジ部１０２Ｄが設けられている。また第一外周部１１１の第一外周平面部１１１Ｂの端部と、第二外周部１２１の第一外周平面部１２１Ｂの端部にはそれぞれ第一フック受部１１４と第二フック受部１２４が設けられている。
【００５１】
第三分割ケース部１３０において、第三外周部１３１の一端側には、第一フック部１３４が設けられており、他端側は第一ヒンジ部１０２Ｃと連結されている。第四分割ケース部１４０においても、第四外周部１４１の一端側には、第二フック部１４４が設けられており、他端側は第二ヒンジ部１０２Ｄと連結されている。よって第三分割ケース部１３０及び第四分割ケース部１４０を第一ヒンジ部１０２Ｃ及び第二ヒンジ部１０２Ｄを支点として第一分割ケース部１１０及び第二分割ケース部１２０側に回動させることにより、第一フック部１３４と第一フック受部１１４、第二フック部１４４と第二フック受部１２４をそれぞれ掛止することができる。
【００５２】
上記構成のノイズ吸収装置１０１に図示せぬ電源ケーブルを巻回する際には、ケース２を閉じていない状態で、第一保護カバー部１０２Ｅ内に配置する。そして第一コア部１５０の第一伸長部１５０Ｂ周りの第一外周平面部１１１Ｂ、１２１Ｂ及び第一保護カバー平面部１１２Ｂ、１２２Ｂにケーブルを巻回する。第一伸長部１５０Ｂ及び第一伸長部１５０Ｂを保護している第一外周平面部１１１Ｂ、１２１Ｂ及び第一保護カバー平面部１１２Ｂ、１２２Ｂは、その電源ケーブル挿通方向と直交する断面において、直線部分となるため、容易に電源ケーブルを巻回することができる。
【００５３】
図示せぬ電源ケーブルを巻回した後に第三分割ケース部１３０及び第四分割ケース部１４０を第一ヒンジ部１０２Ｃ及び第二ヒンジ部１０２Ｄを支点として第一分割ケース部１１０及び第二分割ケース部１２０側に回動させて第一フック部１３４と第一フック受部１１４、第二フック部１４４と第二フック受部１２４とを掛止させてケース１０２を閉じ、ノイズ吸収装置１０１の図示せぬ電源ケーブルへの装着が完了する。
【００５４】
第一の実施の形態及び第二の実施の形態に係るノイズ吸収装置においては、何れも、第一ケース部及び第一保護カバー部と、第二ケース部及び第二保護カバー部と、第一コア部と、第二コア部と、の四部品からノイズ吸収装置を構成しているため、その構成部品点数を少なくすることが可能となっており、故にノイズ吸収装置の組立が容易となっている。
【００５５】
また第一の実施の形態及び第二の実施の形態に係るノイズ吸収装置のいずれもケーブルが挿通する貫通孔の軸方向と平行な断面で分割されている。よって先端に貫通孔の径より大きな物、例えばコンセントが設けられたケーブルであっても、分割した状態で貫通孔を形成する溝内に配線し、後に分割されたケースを組み合わせることにより貫通孔内に挿通することができる。
【００５６】
本発明によるノイズ吸収装置は上述した実施の形態に限定されず、特許請求の範囲に記載した範囲で種々の変形や改良が可能である。例えば、第一保護カバー部においては、それぞれ第一分割ケース部及び第二分割ケース部に一体の第一分割保護カバー部及び第二分割保護カバー部より構成されているが、これに限らず、第一分割ケース部のみに第一保護カバー部が設けられた構成をとっても良い。これは第二保護カバー部においても同様である。また第一分割ケース部において第一掛止部は第一側面部に設けられていたが、第一コア部の収容部への挿入の邪魔にならないならば第一収容部内に突出するどの位置に設けられていてもよい。
【００５７】
また第二の実施の形態において、第一コア部はその断面形状が略Ｕ字状に構成されているが、第一伸長部と第二伸長部とを供えているならば、他の形状、例えばコ字状等であってもよい。
【図面の簡単な説明】
【００５８】
【図１】本発明の第一の実施の形態に係るノイズ吸収装置の分解斜視図。
【図２】本発明の第一の実施の形態に係るノイズ吸収装置の底面図。
【図３】本発明の第一の実施の形態に係るノイズ吸収装置のコアとケースの側面図。
【図４】本発明の第一の実施の形態に係るノイズ吸収装置の斜視図。
【図５】本発明の第二の実施の形態に係るノイズ吸収装置の斜視図。
【図６】本発明の第二の実施の形態に係るノイズ吸収装置のコアを表す側面図。
【符号の説明】
【００５９】
１・・ノイズ吸収装置  ２・・ケース  ２Ａ・・第一ケース部  ２Ｂ・・第二ケース部
２Ｃ・・第一ヒンジ部  ２Ｄ・・第二ヒンジ部  ２Ｅ・・第一保護カバー部
２Ｆ・・第二保護カバー部  ３・・コア  ７・・電源ケーブル
１０・・第一分割ケース部  １０ａ・・第一収容部  １１・・第一外周部
１１Ａ・・第一押さえ片  １１Ｂ・・凸部  １２・・第一分割保護カバー部
１３・・第一側面部  １３Ａ・・第一掛止部  １４・・第一フック部  １４ａ・・孔
２０・・第二分割ケース部  ２０ａ・・第二収容部  ２１・・第二外周部
２１Ａ・・第二押さえ片  ２１ｂ・・凹部  ２２・・第二分割保護カバー部
２３・・第二側面部  ２３Ａ・・第二掛止部  ２４・・第二フック受部
３０・・第三分割ケース部  ３０ａ・・第三収容部  ３１ｂ・・凹部
３１・・第三外周部  ３１Ａ・・第三押さえ片  ３２・・第三分割保護カバー部
３３・・第三側面部  ３３Ａ・・第三掛止部  ３４・・第一フック受部
４０・・第四分割ケース部  ４０ａ・・第四収容部  ４１・・第四外周部
４１Ａ・・第四押さえ片  ４１Ｂ・・凸部  ４２・・第四分割保護カバー部
４３・・第四側面部  ４３Ａ・・第四掛止部  ４４・・第二フック部  ４４ａ・・孔
５０・・第一コア部  ５０ａ・・第一被掛止部  ５０ｂ・・第二被掛止部
５１・・第一当接面  ５２・・第二当接面  ６０・・第二コア部
６０ａ・・第三被掛止部  ６０ｂ・・第四被掛止部  ６１・・第三当接面
６２・・第四当接面
【図１】
2007266214.tif 000003
【図２】
2007266214.tif 000004
【図３】
2007266214.tif 000005
【図４】
2007266214.tif 000006
【図５】
2007266214.tif 000007
【図６】
2007266214.tif 000008